(57)【要約】【課題】本発明は、従来に比べて安全性が高く、太陽電池モジュールが変形しにくい屋根構造を提供する。【解決手段】野地板に対して、複数の建材一体型の太陽電池モジュールが軒棟方向に並設され、太陽電池モジュールは、太陽電池パネルと、補強部を有し、補強部は、金属製であって、太陽電池パネルの裏面側に設けられ、太陽電池パネルの裏面の大部分を覆っており、補強部は、太陽電池パネルが野地板に対して所定の角度で傾斜するように支持しており、補強部は、野地板に載置される載置壁部と、載置壁部から太陽電池パネルに向かって折れ曲がって延びた２つの側壁部を有し、太陽電池モジュールは、太陽電池パネルの裏面、載置壁部、及び２つの側壁部に囲繞された囲繞空間を備えており、囲繞空間は、軒棟方向において開放している構成とする。【選択図】図３
2020186585.tif 000002
【特許請求の範囲】
【請求項１】
野地板に対して、複数の建材一体型の太陽電池モジュールが軒棟方向に並設された屋根構造であって、
前記太陽電池モジュールは、太陽電池パネルと、補強部を有し、
前記補強部は、金属製であって、前記太陽電池パネルの裏面側に設けられ、前記太陽電池パネルの裏面の大部分を覆っており、
前記補強部は、前記太陽電池パネルが前記野地板に対して所定の角度で傾斜するように支持しており、
前記補強部は、前記野地板に載置される載置壁部と、前記載置壁部から前記太陽電池パネルに向かって折れ曲がって延びた２つの側壁部を有し、
前記太陽電池モジュールは、前記太陽電池パネルの裏面、前記載置壁部、及び前記２つの側壁部に囲繞された囲繞空間を備えており、
前記囲繞空間は、前記軒棟方向において開放している、屋根構造。
【請求項２】
軒棟方向に流路を有する樋部材を有し、
前記樋部材は、前記補強部と別体であって、樋用締結要素によって前記補強部の桁行方向の側面に固定されている、請求項１に記載の屋根構造。
【請求項３】
前記野地板に対して複数の建材一体型の太陽電池モジュールが桁行方向に並設されており、
前記樋部材は、前記太陽電池パネルを平面視したときに、桁行方向に隣接する太陽電池モジュールの境界部分に配されている、請求項２に記載の屋根構造。
【請求項４】
前記樋用締結要素は、一時締結要素であって、軸部を有し、
前記軸部は、桁行方向に延びている、請求項２又は３に記載の屋根構造。
【請求項５】
前記太陽電池モジュールは、前記野地板に対して瓦部材とともに桁行方向に並設されており、
水切り部材を有し、
前記水切り部材は、前記瓦部材に隣接する太陽電池モジュールに取り付けられ、前記瓦部材側からの前記太陽電池パネルの背面側への水の移動を規制するものであり、
前記水切り部材は、前記補強部と別体であって、水切り用締結要素によって前記補強部の桁行方向の側面に固定されている、請求項１乃至４のいずれか１項に記載の屋根構造。
【請求項６】
前記太陽電池モジュールは、前記瓦部材よりも厚みが厚く、
前記水切り部材は、一部が瓦部材と前記野地板との間に介在する、請求項５に記載の屋根構造。
【請求項７】
前記補強部は、前記太陽電池パネルの裏面の９０％以上を覆っている、請求項１乃至６のいずれか１項に記載の屋根構造。
【請求項８】
前記太陽電池パネルは、裏面に端子ボックスを有し、
前記端子ボックスは、前記囲繞空間に配されている、請求項１乃至７のいずれか１項に記載の屋根構造。
【請求項９】
前記補強部は、前記載置壁部から棟側に張り出した張出部をさらに有し、
軒棟方向に隣接する太陽電池モジュールのうち、一方の太陽電池モジュールの囲繞空間に他方の太陽電池モジュールの張出部が挿入されている、請求項１乃至８のいずれか１項に記載の屋根構造。
【請求項１０】
前記２つの側壁部の間隔は、棟側から軒先側に向かって広がっている、請求項９に記載の屋根構造。
【請求項１１】
前記補強部は、前記太陽電池パネルの裏面との間に空間が形成されている、請求項１乃至１０のいずれか１項に記載の屋根構造。
【請求項１２】
前記太陽電池モジュールは、前記太陽電池パネルの軒先側の端部を保護する軒先側フレームと、前記太陽電池パネルの棟側の端部を保護する棟側フレームをさらに有し、
軒棟方向に隣接する太陽電池モジュールのうち、軒先側の太陽電池モジュールの棟側フレームは、補強部とともに棟側に向かって開放した凹部を構成しており、
棟側の太陽電池モジュールの軒先側フレームは、軒先側に向かって延びたフレーム延伸部を有し、
前記軒棟方向に隣接する太陽電池モジュールは、前記棟側の太陽電池モジュールの前記フレーム延伸部が前記軒先側の太陽電池モジュールの前記凹部に挿入されている、請求項１乃至１１のいずれか１項に記載の屋根構造。
【請求項１３】
野地板に対して取り付け可能な建材一体型の太陽電池モジュールであって、
太陽電池パネルと、補強部を有し、
前記補強部は、金属製であって、前記太陽電池パネルの裏面側に設けられ、前記太陽電池パネルの裏面の大部分を覆っており、
前記補強部は、前記野地板に載置される載置壁部と、前記載置壁部から前記太陽電池パネルに向かって折れ曲がって延びた２つの側壁部を有し、
前記野地板に対して取り付けたときに、前記補強部が前記太陽電池パネルを前記野地板に対して所定の角度で傾斜するように支持し、前記太陽電池パネルの裏面、前記載置壁部、及び前記２つの側壁部に囲繞され、前記軒棟方向において開放した囲繞空間が形成される、太陽電池モジュール。
【発明の詳細な説明】
【技術分野】
【０００１】
本発明は、建材一体型の太陽電池モジュールを野地板に対して取り付けた屋根構造に関する。
【背景技術】
【０００２】
従来から太陽電池としての機能に加えて建材（瓦）としての機能を有する建材一体型の太陽電池モジュールが知られている（例えば、特許文献１）。
この太陽電池モジュールは、野地板等の固定構造物に対して、瓦を介さずに直接設置されるため、他の瓦等と一体的な外観を持ち、瓦に対して固定される通常の太陽電池モジュールに比べて意匠性が高い。
【先行技術文献】
【特許文献】
【０００３】
【特許文献１】特開２０１７−２１８８６６号公報
【発明の概要】
【発明が解決しようとする課題】
【０００４】
しかしながら、建材一体型の太陽電池モジュールは、瓦を介さずに野地板等に直接固定されるため、何らかの不具合により太陽電池パネルが発火した場合に、太陽電池モジュール側から固定構造物側に延焼する可能性がある。
また、建材一体型の太陽電池モジュールは、建材（瓦）として使用されるため、瓦に対して固定される通常の太陽電池モジュールに比べて、建材として使用する分、剛性が必要となる。
【０００５】
そこで、本発明は、従来に比べて安全性が高く、太陽電池モジュールが変形しにくい屋根構造を提供することを目的とする。また本発明は、従来に比べて安全性が高く、変形しにくい太陽電池モジュールを提供することを目的とする。
【課題を解決するための手段】
【０００６】
上記した解決するための本発明の一つの様相は、野地板に対して、複数の建材一体型の太陽電池モジュールが軒棟方向に並設された屋根構造であって、前記太陽電池モジュールは、太陽電池パネルと、補強部を有し、前記補強部は、金属製であって、前記太陽電池パネルの裏面側に設けられ、前記太陽電池パネルの裏面の大部分を覆っており、前記補強部は、前記太陽電池パネルが前記野地板に対して所定の角度で傾斜するように支持しており、前記補強部は、前記野地板に載置される載置壁部と、前記載置壁部から前記太陽電池パネルに向かって折れ曲がって延びた２つの側壁部を有し、前記太陽電池モジュールは、前記太陽電池パネルの裏面、前記載置壁部、及び前記２つの側壁部に囲繞された囲繞空間を備えており、前記囲繞空間は、前記軒棟方向において開放している、屋根構造である。
【０００７】
ここでいう「太陽電池パネルの裏面の大部分」とは、裏面の６０％以上の部分をいう。
【０００８】
本様相によれば、太陽電池パネルの裏面の大部分を金属製の補強部で覆っているため、たとえ、太陽電池パネルが発火しても、火が補強部で遮られ、太陽電池パネル側から野地板側に延焼しにくい。また、本様相によれば、太陽電池パネルの裏面の大部分が金属製の補強部に覆われて補強されているため、太陽電池パネルが変形しにくい。
本様相によれば、補強部が太陽電池パネルを所定の角度で傾斜させる架台としても機能するため、野地板の単位面積当たりの太陽電池パネルの設置面積を小さくできる。また、意匠性の優れた段葺屋根を構成できる。
本様相によれば、軒棟方向に開放した囲繞空間を有するため、囲繞空間を雨水等が通過する流路として機能させることができる。
【０００９】
好ましい様相は、軒棟方向に流路を有する樋部材を有し、前記樋部材は、前記補強部と別体であって、樋用締結要素によって前記補強部の桁行方向の側面に固定されていることである。
【００１０】
本様相によれば、補強部の桁行方向の側面に樋部材が固定されている。すなわち、強風等の際に吹き上げ力を受ける方向に対して交差する方向に樋用締結要素が設けられ、樋部材が補強部に固定されているため、補強部から樋部材が外れにくい。
【００１１】
より好ましい様相は、前記野地板に対して複数の建材一体型の太陽電池モジュールが桁行方向に並設されており、前記樋部材は、前記太陽電池パネルを平面視したときに、桁行方向に隣接する太陽電池モジュールの境界部分に配されていることである。
【００１２】
本様相によれば、樋部材が桁行方向に隣接する太陽電池モジュール間に跨っているため、桁行方向に隣接する太陽電池モジュール間の隙間から水等が進入しても樋部材で受けることができる。
【００１３】
より好ましい様相は、前記樋用締結要素は、一時締結要素であって、軸部を有し、前記軸部は、桁行方向に延びていることである。
【００１４】
ここでいう「一時締結要素」とは、締結要素の一種であり、原則的に破壊せずに取り外しが可能な締結要素をいい、例えば、ねじや、ボルトナットの組み合わせなどをいう。
【００１５】
本様相によれば、樋部材が補強部に対して一時締結要素によって固定されており、樋部材を補強部に対して着脱可能となっている。そのため、樋部材の交換が容易である。
【００１６】
好ましい様相は、前記太陽電池モジュールは、前記野地板に対して瓦部材とともに桁行方向に並設されており、水切り部材を有し、前記水切り部材は、前記瓦部材に隣接する太陽電池モジュールに取り付けられ、前記瓦部材側からの前記太陽電池パネルの背面側への水の移動を規制するものであり、前記水切り部材は、前記補強部と別体であって、水切り用締結要素によって前記補強部の桁行方向の側面に固定されていることである。
【００１７】
本様相によれば、補強部の桁行方向の側面に水切り部材が固定されている。すなわち、強風等によって吹き上げ力を受ける方向に対して交差する方向に水切り用締結要素が設けられ、水切り部材が補強部に固定されているため、補強部から水切り部材が外れにくい。
【００１８】
より好ましい様相は、前記太陽電池モジュールは、前記瓦部材よりも厚みが厚く、前記水切り部材は、一部が瓦部材と前記野地板との間に介在することである。
【００１９】
本様相によれば、瓦部材側から太陽電池モジュール側への水等の移動を水切り部材によって遮断できるため、瓦部材側から太陽電池モジュールの裏側への水等の進入を防止できる。
【００２０】
好ましい様相は、前記補強部は、前記太陽電池パネルの裏面の９０％以上を覆っていることである。
【００２１】
本様相によれば、補強部が太陽電池パネルの９０％以上を覆っているため、太陽電池パネルが発火したとしても、太陽電池パネルと野地板の間を縁切りでき、太陽電池パネルから野地板への延焼をより防止できる。
【００２２】
好ましい様相は、前記太陽電池パネルは、裏面に端子ボックスを有し、前記端子ボックスは、前記囲繞空間に配されていることである。
【００２３】
本様相によれば、端子ボックスが太陽電池パネルの裏面、載置壁部、及び２つの側壁部に囲繞されているため、端子ボックスで発火した場合でも、補強部で遮断され、野地板側への延焼を防止できる。
【００２４】
好ましい様相は、前記補強部は、前記載置壁部から棟側に張り出した張出部をさらに有し、軒棟方向に隣接する太陽電池モジュールのうち、一方の太陽電池モジュールの囲繞空間に他方の太陽電池モジュールの張出部が挿入されていることである。
【００２５】
本様相によれば、延伸部が囲繞空間内に挿入されているため、軒棟方向の太陽電池モジュールの位置決めが容易である。
【００２６】
より好ましい様相は、前記２つの側壁部の間隔は、棟側から軒先側に向かって広がっていることである。
【００２７】
本様相によれば、延伸部を囲繞空間内に挿入しやすい。
【００２８】
好ましい様相は、前記補強部は、前記太陽電池パネルの裏面との間に空間が形成されていることである。
【００２９】
本様相によれば、太陽電池パネルの裏面と補強部の間に空間が形成されているため、太陽電池パネルの裏面側が外気と晒されやすく、高温になりにくい。
【００３０】
好ましい様相は、前記太陽電池モジュールは、前記太陽電池パネルの軒先側の端部を保護する軒先側フレームと、前記太陽電池パネルの棟側の端部を保護する棟側フレームをさらに有し、軒棟方向に隣接する太陽電池モジュールのうち、軒先側の太陽電池モジュールの棟側フレームは、補強部とともに棟側に向かって開放した凹部を構成しており、棟側の太陽電池モジュールの軒先側フレームは、軒先側に向かって延びたフレーム延伸部を有し、前記軒棟方向に隣接する太陽電池モジュールは、前記棟側の太陽電池モジュールの前記フレーム延伸部が前記軒先側の太陽電池モジュールの前記凹部に挿入されていることである。
【００３１】
本様相によれば、軒先側の太陽電池モジュールの凹部に棟側の太陽電池モジュールのフレーム延伸部が挿入されて軒先側の太陽電池モジュールに対して棟側の太陽電池モジュールが固定されているため、強風等によって吹き上げ力が働いても、棟側の太陽電池モジュールが軒先側の太陽電池モジュールによって係止され、棟側の太陽電池モジュールが外れにくい。
【００３２】
本発明の一つの様相は、野地板に対して取り付け可能な建材一体型の太陽電池モジュールであって、太陽電池パネルと、補強部を有し、前記補強部は、金属製であって、前記太陽電池パネルの裏面側に設けられ、前記太陽電池パネルの裏面の大部分を覆っており、前記補強部は、前記野地板に載置される載置壁部と、前記載置壁部から前記太陽電池パネルに向かって折れ曲がって延びた２つの側壁部を有し、前記野地板に対して取り付けたときに、前記補強部が前記太陽電池パネルを前記野地板に対して所定の角度で傾斜するように支持し、前記太陽電池パネルの裏面、前記載置壁部、及び前記２つの側壁部に囲繞され、前記軒棟方向において開放した囲繞空間が形成される、太陽電池モジュールである。
【００３３】
本様相によれば、たとえ、太陽電池パネルが発火しても、火が補強部で遮られ、太陽電池パネル側から野地板側に延焼しにくい。また、本様相によれば、太陽電池パネルが変形しにくい。
本様相によれば、野地板に取り付けたときに、野地板の単位面積当たりの太陽電池パネルの設置面積を小さくできる。本様相によれば、囲繞空間を雨水等が通過する流路として機能させることができる。
【発明の効果】
【００３４】
本発明によれば、従来に比べて安全性が高く、太陽電池モジュールが変形しにくい。
【図面の簡単な説明】
【００３５】
【図１】本発明の第１実施形態の屋根構造の平面図である。
【図２】図１の屋根構造の一部の斜視図である。
【図３】図１の屋根構造の一部のＡ−Ａ断面図である。
【図４】図１の屋根構造の要部の説明図であり、（ａ）は桁行方向に太陽電池モジュールが隣接する太陽電池モジュールの周囲の分解斜視図であり、（ｂ）は桁行方向に瓦部材が隣接する太陽電池モジュールの周囲の分解斜視図である。
【図５】図４の太陽電池モジュールの正面図である。
【図６】図４の太陽電池モジュールの分解斜視図である。
【図７】図４の太陽電池モジュールを裏面側からみた一部破断斜視図である。
【図８】図５の太陽電池モジュールの説明図であり、（ａ）は野地板の載置面を水平にしたときのＢ−Ｂ断面図であり、（ｂ）は野地板の載置面を水平にしたときのＣ−Ｃ断面図である。
【図９】図６の太陽電池パネルを裏面側からみた斜視図である。
【図１０】図６の軒先側フレーム部材の拡大斜視図である。
【図１１】図１０の軒先側フレーム部材を図１０とは別の方向からみた斜視図である。
【図１２】図６の棟側フレーム部材の拡大斜視図である。
【図１３】図６の補強部材を図６とは別の方向からみた斜視図である。
【図１４】図４の樋部材の斜視図である。
【図１５】図４の水切り部材の斜視図である。
【図１６】図１のカバー部材の斜視図である。
【図１７】図１の樋部材の説明図であり、太陽電池モジュールを仮想線で示している。
【図１８】図１の水切り部材の説明図であり、太陽電池モジュール及び瓦部材を仮想線で示している。
【図１９】本発明の他の実施形態の補強部材の斜視図である。
【図２０】本発明の他の実施形態の要部の分解斜視図である。
【発明を実施するための形態】
【００３６】
以下、本発明の実施形態について詳細に説明する。
【００３７】
本発明の第１実施形態の屋根構造１は、図１，図２のように、屋根の野地板１００に対して複数の太陽電池モジュール２と、瓦部材１０１と、カバー部材１０２が面状に敷設されたものである。
【００３８】
太陽電池モジュール２は、建材としての機能と、太陽電池としての機能を兼ね備えた建材一体型の太陽電池モジュールであり、図６のように、太陽電池パネル３と、フレーム部材５，６と、補強部材７を備えている。
太陽電池モジュール２は、図４のように、補強部材７の幅方向（桁行方向Ｘ）の側面に、樋用締結要素１１又は水切り用締結要素１２によって樋部材８及び水切り部材１０を選択的に取り付け可能となっている。
【００３９】
太陽電池パネル３は、図５のように、表面に受光面２０を有する板状パネルである。
太陽電池パネル３は、光エネルギーを電気エネルギーに変換する複数の太陽電池セル２１を内蔵しており、これらの太陽電池セル２１が電気的に直列及び／又は並列接続されている。
太陽電池パネル３は、図９のように、裏面側に端子ボックス２２が設けられており、端子ボックス２２から配線部材が延設されている。
端子ボックス２２は、太陽電池セル２１から延びた内部配線から配線部材への中継箱であって、配線部材側に電気を取り出す部材である。
【００４０】
軒先側フレーム部材５は、図１０のように、桁行方向Ｘ（幅方向）に延び、太陽電池パネル３の軒先側端部を保護するフレームである。
軒先側フレーム部材５は、受光側覆部３０と、端面覆部３１と、裏面側覆部３２と、接続壁部３３と、係合壁部３５と、取付部３６を備えており、保持凹部３７と係合凹部３８が形成されている。
受光側覆部３０は、太陽電池パネル３の受光面２０側を覆う部位である。
端面覆部３１は、太陽電池パネル３の軒先側端面を覆う部位であり、受光側覆部３０と裏面側覆部３２を接続する部位である。
裏面側覆部３２は、太陽電池パネル３の裏面側を覆う部位であり、受光側覆部３０とともに太陽電池パネル３を厚み方向に挟む部位である。
接続壁部３３は、裏面側覆部３２と係合壁部３５を接続する接続部であり、裏面側覆部３２から立ち上がった立壁部である。
係合壁部３５は、棟側フレーム部材６と係合可能な係合片であり、裏面側覆部３２と空間を開けて対向し、接続壁部３３の端部から太陽電池パネル３側に向かって延びたフレーム延伸部である。
取付部３６は、補強部材７を取り付ける板状部位であり、図１１のように、裏面側覆部３２と連続し、接続壁部３３の一部又は全部が切り起こされた部位である。すなわち、接続壁部３３は、取付部３６による開口を備えている。
【００４１】
保持凹部３７は、太陽電池パネル３の軒先側端部を保持する保持部であり、図１１のように、覆部３０〜３２を内壁とする凹溝である。
保持凹部３７は、桁行方向Ｘに延び、その内部空間が棟側に向かって開放している。
係合凹部３８は、棟側フレーム部材６の一部を挿入可能な係合部であり、図１０のように、裏面側覆部３２、接続壁部３３、及び係合壁部３５を内壁とする凹溝である。
係合凹部３８は、桁行方向Ｘに延び、内部空間が軒先側に向かって開放している。すなわち、係合凹部３８の内部空間は、軒棟方向Ｙにおいて、保持凹部３７の内部空間とは反対側に向かって開放している。
【００４２】
棟側フレーム部材６は、図１２のように、桁行方向Ｘに延び、太陽電池パネル３の棟側端部を保護するフレームである。
棟側フレーム部材６は、受光側覆部５０と、端面覆部５１と、裏面側覆部５２と、接続壁部５３と、取付壁部５５を備えており、保持凹部５７が形成されている。
【００４３】
受光側覆部５０は、太陽電池パネル３の受光面２０側を覆う部位である。
端面覆部５１は、太陽電池パネル３の軒先側端面を覆う部位であり、受光側覆部５０と裏面側覆部５２を接続する部位である。
裏面側覆部５２は、太陽電池パネル３の裏面側を覆う部位であり、受光側覆部５０とともに太陽電池パネル３を厚み方向に挟む部位である。
接続壁部５３は、裏面側覆部５２と取付壁部５５を接続する接続部であり、裏面側覆部５２から立ち上がった立壁部である。
取付壁部５５は、補強部材７を取り付ける部位であり、裏面側覆部５２に対して段差をもち、裏面側覆部５２と接続壁部５３を介して段状に連続している。
保持凹部５７は、太陽電池パネル３の棟側端部を保持する保持部であり、覆部５０〜５２を内壁とする凹溝である。
保持凹部５７は、桁行方向Ｘに延び、その内部空間が軒先側に向かって開放している。
【００４４】
補強部材７は、金属製であって、太陽電池パネル３と野地板１００を縁切りする部材であり、一枚の鋼板が折り曲げ加工されて形成されている。
補強部材７は、図６，図１３のように、載置壁部７０と、パネル側壁部７１と、側壁部７２ａ，７２ｂと、張出部７３と、取付壁部７５ａ，７５ｂと、閉塞壁部７６を備えている。
【００４５】
載置壁部７０は、補強部材７の底部を構成し、野地板１００に載置される壁部である。
パネル側壁部７１は、載置壁部７０に対して段差をもち、載置壁部７０に対して所定の角度で傾斜した壁部である。
図８（ｂ）に示されるパネル側壁部７１の傾斜角度θ（載置壁部７０に対する傾斜角度）は、野地板１００の傾斜角度等を踏まえて適宜設計できるが、３度以上３０度以下であることが好ましい。すなわち、野地板１００に対する太陽電池パネル３の傾斜角度は、３度以上３０度以下であることが好ましい。
パネル側壁部７１は、図６のように、軒棟方向Ｙにおいて、幅が相違しており、軒先側から棟側に向かうにつれて、幅が広がっている。
側壁部７２ａ，７２ｂは、載置壁部７０とパネル側壁部７１を接続する接続壁部である。
張出部７３は、載置壁部７０と連続し、側壁部７２ａ，７２ｂに対して軒先側に張り出した張出片である。
取付壁部７５ａ，７５ｂは、桁行方向Ｘの端部に設けられ、締結要素１１，１２を介して樋部材８と水切り部材１０を選択的に取り付け可能な部位である。
閉塞壁部７６は、パネル側壁部７１から下方に向かって折り曲げた折り曲げ部であり、接続壁部３３の開口を閉塞する壁部である。
【００４６】
ここで、太陽電池モジュール２の各部位の位置関係について説明する。
【００４７】
太陽電池パネル３は、図８のように、軒先側端部が軒先側フレーム部材５の保持凹部３７に挿入されており、棟側端部が棟側フレーム部材６の保持凹部５７に挿入されている。太陽電池パネル３の桁行方向Ｘの端面は、外部に露出している。
【００４８】
太陽電池パネル３は、図６のように、裏面側に補強部材７が配されており、補強部材７が裏面の大部分を覆っている。
補強部材７は、太陽電池パネル３の裏面の９０％以上を覆っていることが好ましい。
補強部材７は、載置壁部７０の軒先側端部が軒先側フレーム部材５の取付部３６に取り付けられており、載置壁部７０の棟側端部が棟側フレーム部材６の取付壁部５５に取り付けられている。
太陽電池モジュール２は、図８（ｂ）のように、補強部材７のパネル側壁部７１と、棟側フレーム部材６の裏面側覆部５２の間に空間がある。太陽電池モジュール２は、補強部材７のパネル側壁部７１と棟側フレーム部材６の裏面側覆部５２と棟側フレーム部材６の接続壁部５３によって固定凹部７４が形成されている。
【００４９】
太陽電池モジュール２は、図５のように、平面視したときに、補強部材７が軒棟方向Ｙにおいて棟側フレーム部材６よりも棟側に張り出しており、張出領域７８が形成されている。
【００５０】
太陽電池モジュール２は、図７のように、太陽電池パネル３の裏面、載置壁部７０、及び側壁部７２ａ，７２ｂによって囲繞され、軒棟方向Ｙに開放した囲繞空間７７が形成されており、端子ボックス２２は、囲繞空間７７内に配されている。
囲繞空間７７は、軒棟方向Ｙに延びた空間であり、太陽電池パネル３の軒棟方向Ｙの長さの０．５倍以上の範囲で延びていることが好ましく、０．８倍以上の範囲で延びていることがより好ましい。
【００５１】
樋部材８は、桁行方向Ｘに隣接する太陽電池パネル３の境界部分に設けられ、軒先側に水を流す部材である。
樋部材８は、図１４のように、断面形状が上方に向けて開放した「コ」字状の部材であり、底面部８０と、底面部８０の幅方向の両端部から立ち上がった側面部８１ａ，８１ｂを備え、底面部８０と側面部８１ａ，８１ｂを内壁とする樋側流路８２が形成されている。
側面部８１ａ，８１ｂのうち少なくとも一方の側面部８１は、取付部８３を備えている。
取付部８３は、樋用締結要素１１を挿入して樋部材８を補強部材７に取り付ける孔又は切り欠きであり、部材厚方向に貫通している。
【００５２】
水切り部材１０は、瓦部材１０１側から太陽電池パネル３の下面側への水の移動を遮断する部材である。
水切り部材１０は、図１５のように、パネル側壁部９０と、載置壁部９１と、遮断壁部９２と、取付壁部９３を備えている。
載置壁部９１は、瓦部材１０１を載置する部位であり、パネル側壁部９０と段差をもち、遮断壁部９２を介して段状に連続している。
遮断壁部９２は、載置壁部９１に対して立ち上がった立壁部であり、軒先側から棟側に向かって幅が漸次狭くなっている。すなわち、パネル側壁部９０は、載置壁部９１に対して所定の角度で傾斜している。
取付壁部９３は、パネル側壁部９０から野地板１００とは反対側に立ち上がった立壁部であり、水切り用締結要素１２を介して補強部材７に取り付ける取付部９５を備えている。
取付部９５は、水切り用締結要素１２を挿入して水切り部材１０を補強部材７に取り付ける孔又は切り欠きであり、部材厚方向に貫通している。
【００５３】
樋用締結要素１１は、図４（ａ）のように、樋部材８を補強部材７に対して取り付ける部材であり、具体的には、頭部と、軸部を有した一時締結要素であり、ねじやボルトナットの組み合わせなどである。
【００５４】
水切り用締結要素１２は、図４（ｂ）のように、水切り部材１０を補強部材７に対して取り付ける部材であり、具体的には、頭部と、軸部を有した一時締結要素であり、ねじやボルトナットの組み合わせなどである。
【００５５】
瓦部材１０１は、具体的には、スレート瓦であり、太陽電池モジュール２の厚みよりも薄いものである。
【００５６】
カバー部材１０２は、瓦部材１０１と太陽電池モジュール２との境界部分を覆う部材であり、図１６のように、横長長方形状であって、瓦部材１０１と同程度の大きさの部材である。
【００５７】
続いて、本実施形態の屋根構造１の各部位の位置関係について説明する。
【００５８】
屋根構造１は、図１のように、屋根の野地板１００上に瓦部材１０１とともに太陽電池モジュール２が面状に敷設されており、瓦部材１０１と太陽電池モジュール２の境界部分にカバー部材１０２が配されている。
カバー部材１０２は、軒先側が太陽電池モジュール２の張出領域７８を覆っており、棟側が瓦部材１０１で覆われている。
軒先側の太陽電池モジュール２ａの固定凹部７４に、図３のように、棟側の太陽電池モジュール２ｂの軒先側フレーム部材５の係合壁部３５が挿入されている。
別の観点から視ると、棟側の太陽電池モジュール２ｂの係合凹部３８に軒先側の太陽電池モジュール２ａの棟側フレーム部材６の一部が挿入されて嵌合している。
図３に示される軒棟方向Ｙに隣接する太陽電池モジュール２（２ａ，２ｂ）は、軒先側の太陽電池モジュール２ａの囲繞空間７７に棟側の太陽電池モジュール２ｂの張出部７３が挿入されており、軒棟方向Ｙに囲繞空間７７が連通している。
太陽電池パネル３は、補強部材７によって支持されており、野地板１００に対して所定の角度で傾斜している。
【００５９】
軒先側の太陽電池モジュール２ａの張出領域７８には、棟側の太陽電池モジュール２ｂが覆い被さっている。すなわち、軒先側の太陽電池モジュール２ａの補強部材７は、棟側の太陽電池モジュール２ｂの補強部材７と厚み方向に重なり部分があり、囲繞空間７７同士が軒棟方向Ｙに連通している。
【００６０】
桁行方向Ｘに隣接する太陽電池モジュール２（２ａ，２ｃ）は、図１７のように、一方の太陽電池モジュール２ａに樋部材８が取り付けられている。
具体的には、樋部材８は、樋用締結要素１１によって、一方の太陽電池モジュール２ａの補強部材７の取付壁部７５ａ又は取付壁部７５ｂに取り付けられている。
樋用締結要素１１は、軸部が取付部８３を挿通し、桁行方向Ｘに締結されている。
樋部材８は、太陽電池パネル３を平面視したときに、桁行方向Ｘに隣接する太陽電池モジュール２ａ，２ｃの境界部分に跨って配されている。
【００６１】
桁行方向Ｘに瓦部材１０１と隣接する太陽電池モジュール２ｃは、図１８のように、水切り部材１０が取り付けられている。
具体的には、水切り部材１０は、水切り用締結要素１２によって、太陽電池モジュール２ｃの補強部材７の取付壁部７５ａ又は取付壁部７５ｂに取り付けられている。
水切り用締結要素１２は、軸部が取付部９５を挿通し、桁行方向Ｘに締結されている。
水切り部材１０は、載置壁部９１上に瓦部材１０１が載置されている。
【００６２】
本実施形態の屋根構造１によれば、太陽電池パネル３の裏面の大部分を金属製の補強部材７で覆っているため、たとえ、太陽電池パネル３が発火しても、火が補強部材７で遮られ、太陽電池パネル３側から野地板１００側に延焼しにくい。また、太陽電池パネル３が補強部材７と厚み方向に重なっているので、変形しにくい。
本実施形態の屋根構造１によれば、補強部材７が太陽電池パネル３を所定の角度で傾斜させる架台としても機能するため、野地板１００の単位面積当たりの太陽電池パネル３の設置面積を小さくできる。
【００６３】
本実施形態の屋根構造１によれば、図４のように、補強部材７の桁行方向Ｘの側面をなす取付壁部７５ａ，７５ｂに対して締結要素１１，１２によって樋部材８や水切り部材１０が固定されている。すなわち、太陽電池モジュール２に強風等により吹き上げ力が働いても、吹き上げ方向に対して交差する方向に樋部材８や水切り部材１０が締結要素１１，１２で固定されているため、補強部材７から樋部材８や水切り部材１０が外れにくい。
また、補強部材７の取付壁部７５ａ，７５ｂに対して一時締結要素１１，１２によって樋部材８や水切り部材１０が固定されており、補強部材７の取付壁部７５ａ，７５ｂに対して樋部材８や水切り部材１０が着脱可能に固定されている。そのため、樋部材８や水切り部材１０の交換が容易である。
【００６４】
本実施形態の屋根構造１によれば、太陽電池パネル３の端子ボックス２２が太陽電池パネル３の裏面、載置壁部７０、及び２つの側壁部７２ａ，７２ｂに囲繞されている。そのため、端子ボックス２２で発火した場合でも、補強部材７で遮断され、野地板１００側への延焼を防止できる。
【００６５】
本実施形態の屋根構造１によれば、囲繞空間７７の幅が棟側から軒先側に向かって広がっているため、張出部７３を囲繞空間７７に挿入しすい。
【００６６】
本実施形態の屋根構造１によれば、太陽電池パネル３の裏面と補強部材７の間に空間が形成されているため、太陽電池パネル３の裏面側が外気と晒されやすく、高温になりにくい。
【００６７】
本実施形態の屋根構造１によれば、樋部材８が桁行方向Ｘに隣接する太陽電池モジュール２ａ，２ｃ間に跨っているため、桁行方向Ｘに隣接する太陽電池モジュール２ａ，２ｃ間の隙間から水等が進入しても樋部材８で受けることができる。
【００６８】
本実施形態の太陽電池モジュール２によれば、補強部材７の側面に樋部材８又は水切り部材１０を選択的に取り付けることが可能であるため、多種多様のレイアウトを取ることができる。
【００６９】
上記した実施形態では、軒棟方向Ｙに隣接する太陽電池モジュール２ａ，２ｂが野地板１００に対して垂直方向に重なりをもつように段葺きして設置されていたが、本発明はこれに限定されるものではない。軒棟方向Ｙに隣接する太陽電池モジュール２ａ，２ｂが野地板１００に対して垂直方向に重なりがないように設置されていてもよい。
【００７０】
上記した実施形態では、張出部７３は、載置壁部７０の軒先側端部に設けられていたが、本発明はこれに限定されるものではない。張出部７３は、図１９のように、載置壁部７０の棟側端部に設けられていてもよい。
【００７１】
上記した実施形態では、太陽電池モジュール２の片側側面に樋部材８又は水切り部材１０を取り付けていたが、本発明はこれに限定されるものではない。図２０のように、太陽電池モジュール２の両側側面に樋部材８又は水切り部材１０を取り付けてもよい。
【００７２】
上記した実施形態では、補強部材７に対して水切り部材１０を取り付けていたが、本発明はこれに限定されるものではない。水切り部材１０は、野地板１００に固定されていてもよい。同様に、上記した実施形態では、補強部材７に対して樋部材８を取り付けていたが、本発明はこれに限定されるものではない。樋部材８は、野地板１００に固定されていてもよい。
【００７３】
上記した実施形態では、各太陽電池モジュール２は、軒棟方向Ｙ及び桁行方向Ｘに整列して野地板１００上に配されていたが、本発明はこれに限定されるものではない。
各太陽電池モジュール２は、桁行方向Ｘにずれていてもよい。
【００７４】
上記した実施形態は、本発明の技術的範囲に含まれる限り、各実施形態間で各構成部材を自由に置換や付加できる。
【符号の説明】
【００７５】
１  屋根構造
２，２ａ〜２ｃ  太陽電池モジュール
３  太陽電池パネル
５  軒先側フレーム部材（軒先側フレーム）
６  棟側フレーム部材（棟側フレーム）
７  補強部材（補強部）
８  樋部材
１０  水切り部材
１１  樋用締結要素
１２  水切り用締結要素
２２  端子ボックス
３５  係合壁部（フレーム延伸部）
３８  係合凹部
７０  載置壁部
７２ａ，７２ｂ  側壁部
７３  張出部
７４  固定凹部
７７  囲繞空間
１００  野地板
１０１  瓦部材
【図１】
2020186585.tif 000003
【図２】
2020186585.tif 000004
【図３】
2020186585.tif 000005
【図４】
2020186585.tif 000006
【図５】
2020186585.tif 000007
【図６】
2020186585.tif 000008
【図７】
2020186585.tif 000009
【図８】
2020186585.tif 000010
【図９】
2020186585.tif 000011
【図１０】
2020186585.tif 000012
【図１１】
2020186585.tif 000013
【図１２】
2020186585.tif 000014
【図１３】
2020186585.tif 000015
【図１４】
2020186585.tif 000016
【図１５】
2020186585.tif 000017
【図１６】
2020186585.tif 000018
【図１７】
2020186585.tif 000019
【図１８】
2020186585.tif 000020
【図１９】
2020186585.tif 000021
【図２０】
2020186585.tif 000022